(57)【特許請求の範囲】
【請求項１】
第１の通信インターフェイスと、
第２の通信インターフェイスと、
前記第１又は第２の通信インターフェイスのうちのいずれかを介して画像処理に関する要求を受け付ける受付手段と、
前記受付手段が前記第１の通信インターフェイスを介して前記要求を受け付けた場合、画像処理に設定可能な第１の項目を示す第１の項目情報を提供し、前記受付手段が前記第２の通信インターフェイスを介して前記要求を受け付けた場合、前記第１の項目とは異なる、前記画像処理に設定可能な第２の項目を示す第２の項目情報を提供する項目情報提供手段と、
第３の情報処理装置を識別する識別情報を記憶する識別情報記憶手段と、
を含み、
前記項目情報提供手段は、前記第２の通信インターフェイスを介して接続される情報処理装置が前記識別情報により識別される前記第３の情報処理装置である場合に、該第３の情報処理装置に、前記第２の項目とは異なる、前記画像処理に設定可能な第３の項目を示す第３の項目情報を提供する、
画像処理装置。
【請求項２】
第１の通信インターフェイスと、
第２の通信インターフェイスと、
前記第１又は第２の通信インターフェイスのうちのいずれかを介して画像処理に関する要求を受け付ける受付手段と、
前記受付手段が前記第１の通信インターフェイスを介して前記要求を受け付けた場合、画像処理に設定可能な第１の項目を示す第１の項目情報を提供し、前記受付手段が前記第２の通信インターフェイスを介して前記要求を受け付けた場合、前記第１の項目とは異なる、前記画像処理に設定可能な第２の項目を示す第２の項目情報を提供する項目情報提供手段と、
を含み、
前記項目情報提供手段は、前記第１の項目情報と前記第２の項目情報とを置換して、前記第１及び第２の通信インターフェイスのうちのいずれかを介して接続される情報処理装置に提供する、
画像処理装置。
【請求項３】
第１の通信インターフェイスと、
第２の通信インターフェイスと、
前記第１又は第２の通信インターフェイスのうちのいずれかを介して画像処理に関する要求を受け付ける受付手段と、
前記受付手段が前記第１の通信インターフェイスを介して前記要求を受け付けた場合、画像処理に設定可能な第１の項目を示す第１の項目情報を提供し、前記受付手段が前記第２の通信インターフェイスを介して前記要求を受け付けた場合、前記第１の項目とは異なる、前記画像処理に設定可能な第２の項目を示す第２の項目情報を提供する項目情報提供手段と、
第３の情報処理装置を識別する識別情報を記憶する識別情報記憶手段と、
を含み、
前記項目情報提供手段は、前記第２の通信インターフェイスを介して接続される情報処理装置が前記識別情報により識別される前記第３の情報処理装置である場合に、該第３の情報処理装置に、前記第２の項目とは異なる、前記画像処理に設定可能な第３の項目を示す第３の項目情報を提供する、
画像処理装置と、
前記第１の項目の中から設定された項目を含む画像処理の指示を示す指示データを、前記画像処理装置に送信する第１の送信手段を含む第１の情報処理装置と、
前記第２の項目の中から設定された項目を含む画像処理の指示を示す指示データを、前記画像処理装置に送信する第２の送信手段を含む第２の情報処理装置と、
前記第３の項目の中から設定された項目を含む画像処理の指示を示す指示データを、前記画像処理装置に送信する第３の送信手段を含む第３の情報処理装置と、
を含む画像処理システム。
【請求項４】
第１の通信インターフェイスと、
第２の通信インターフェイスと、
前記第１又は第２の通信インターフェイスのうちのいずれかを介して画像処理に関する要求を受け付ける受付手段と、
前記受付手段が前記第１の通信インターフェイスを介して前記要求を受け付けた場合、画像処理に設定可能な第１の項目を示す第１の項目情報を提供し、前記受付手段が前記第２の通信インターフェイスを介して前記要求を受け付けた場合、前記第１の項目とは異なる、前記画像処理に設定可能な第２の項目を示す第２の項目情報を提供する項目情報提供手段と、
を含み、
前記項目情報提供手段は、前記第１の項目情報と前記第２の項目情報とを置換して、前記第１及び第２の通信インターフェイスのうちのいずれかを介して接続される情報処理装置に提供する、
画像処理装置と、
前記第１の項目の中から設定された項目を含む画像処理の指示を示す指示データを、前記画像処理装置に送信する第１の送信手段を含む第１の情報処理装置と、
前記第２の項目の中から設定された項目を含む画像処理の指示を示す指示データを、前記画像処理装置に送信する第２の送信手段を含む第２の情報処理装置と、
を含む画像処理システム。
【請求項５】
第１の通信インターフェイス又は第２の通信インターフェイスのうちのいずれかを介して画像処理に関する要求を受け付ける受付手段、
前記受付手段が前記第１の通信インターフェイスを介して前記要求を受け付けた場合、画像処理に設定可能な第１の項目を示す第１の項目情報を提供し、前記受付手段が前記第２の通信インターフェイスを介して前記要求を受け付けた場合、前記第１の項目とは異なる、前記画像処理に設定可能な第２の項目を示す第２の項目情報を提供する項目情報提供手段、及び、
第３の情報処理装置を識別する識別情報を記憶する識別情報記憶手段、
として、コンピュータを機能させるプログラムであって、
前記項目情報提供手段は、前記第２の通信インターフェイスを介して接続される情報処理装置が前記識別情報により識別される前記第３の情報処理装置である場合に、該第３の情報処理装置に、前記第２の項目とは異なる、前記画像処理に設定可能な第３の項目を示す第３の項目情報を提供する、
プログラム。
【請求項６】
第１の通信インターフェイス又は第２の通信インターフェイスのうちのいずれかを介して画像処理に関する要求を受け付ける受付手段、及び、
前記受付手段が前記第１の通信インターフェイスを介して前記要求を受け付けた場合、画像処理に設定可能な第１の項目を示す第１の項目情報を提供し、前記受付手段が前記第２の通信インターフェイスを介して前記要求を受け付けた場合、前記第１の項目とは異なる、前記画像処理に設定可能な第２の項目を示す第２の項目情報を提供する項目情報提供手段
として、コンピュータを機能させるプログラムであって、
前記項目情報提供手段は、前記第１の項目情報と前記第２の項目情報とを置換して、前記第１及び第２の通信インターフェイスのうちのいずれかを介して接続される情報処理装置に提供する、
プログラム。
【発明の詳細な説明】
【技術分野】
【０００１】
本発明は画像処理装置、画像処理システム、及びプログラムに関する。
【背景技術】
【０００２】
下記特許文献１には、複数の異なる通信ネットワークのそれぞれに接続される複数の通信インターフェイスを有し、これら通信インターフェイスのうちのいずれにおいて指令を受信したかに応じて、印刷の機能を制限する複合機が記載されている。また、下記特許文献１には、複合機に接続される端末装置が、上記制限される機能の内容を表示することも記載されている。
【先行技術文献】
【特許文献】
【０００３】
【特許文献１】特開２００７−０４２０１５号公報
【発明の概要】
【発明が解決しようとする課題】
【０００４】
しかし、上記特許文献１では、必ずしも印刷データに制限が適用されるとは限らず、端末装置が制限の内容を超える印刷データを複合機に送信することも記載されている。例えば、複合機がカラー印刷を制限しているにもかかわらず、端末装置は、依然として、カラー印刷向けの印刷データを送信する場合がある。
【０００５】
このような場合、複合機は、印刷データを制限に抵触しない形式に変換する、制限の内容を超える印刷データを破棄してその旨を端末装置に通知させる、などの特別な対応が必要となり、複合機には、余計な負担がかかることとなる。
【０００６】
本発明の目的は、画像処理装置に接続される情報処理装置で利用制限の内容を表示する場合に比べて、当該画像処理装置への負担を軽減して、当該画像処理装置の利用制限を行うことである。
【課題を解決するための手段】
【０００７】
請求項１に記載の発明は、第１の通信インターフェイスと、第２の通信インターフェイスと、前記第１又は第２の通信インターフェイスのうちのいずれかを介して画像処理に関する要求を受け付ける受付手段と、前記受付手段が前記第１の通信インターフェイスを介して前記要求を受け付けた場合、画像処理に設定可能な第１の項目を示す第１の項目情報を提供し、前記受付手段が前記第２の通信インターフェイスを介して前記要求を受け付けた場合、前記第１の項目とは異なる、前記画像処理に設定可能な第２の項目を示す第２の項目情報を提供する項目情報提供手段と、を含む画像処理装置である。
【０００８】
また、請求項２に記載の発明は、第３の情報処理装置を識別する識別情報を記憶する識別情報記憶手段を更に含み、前記項目情報提供手段は、前記第２の通信インターフェイスを介して接続される情報処理装置が前記識別情報により識別される前記第３の情報処理装置である場合に、該第３の情報処理装置に、前記第２の項目とは異なる、前記画像処理に設定可能な第３の項目を示す第３の項目情報を提供する、請求項１に記載の画像処理装置である。
【０００９】
また、請求項３に記載の発明は、前記第２の項目情報により示される前記第２の項目は、前記第１の項目情報により示される前記第１の項目よりも設定可能な項目の数が少ない、請求項１又は２に記載の画像処理装置である。
【００１０】
また、請求項４に記載の発明は、前記項目情報項目情報提供手段は、前記第１の項目情報と前記第２の項目情報とを置換して、前記第１及び第２の通信インターフェイスのうちのいずれかを介して接続される情報処理装置に提供する、請求項１乃至３のいずれかに記載の画像処理装置である。
【００１１】
また、請求項５に記載の発明は、第１の通信インターフェイスと、第２の通信インターフェイスと、前記第１又は第２の通信インターフェイスのうちのいずれかを介して画像処理に関する要求を受け付ける受付手段と、前記受付手段が前記第１の通信インターフェイスを介して前記要求を受け付けた場合、画像処理に設定可能な第１の項目を示す第１の項目情報を提供し、前記受付手段が前記第２の通信インターフェイスを介して前記要求を受け付けた場合、前記第１の項目とは異なる、前記画像処理に設定可能な第２の項目を示す第２の項目情報を提供する項目情報提供手段と、を含む画像処理装置と、前記第１の項目の中から設定された項目を含む画像処理の指示を示す指示データを、前記画像処理装置に送信する第１の送信手段を含む第１の情報処理装置と、前記第２の項目の中から設定された項目を含む画像処理の指示を示す指示データを、前記画像処理装置に送信する第２の送信手段を含む第２の情報処理装置と、を含む画像処理システムである。
【００１２】
また、請求項６に記載の発明は、第１の通信インターフェイス又は第２の通信インターフェイスのうちのいずれかを介して画像処理に関する要求を受け付ける受付手段、及び、前記受付手段が前記第１の通信インターフェイスを介して前記要求を受け付けた場合、画像処理に設定可能な第１の項目を示す第１の項目情報を提供し、前記受付手段が前記第２の通信インターフェイスを介して前記要求を受け付けた場合、前記第１の項目とは異なる、前記画像処理に設定可能な第２の項目を示す第２の項目情報を提供する項目情報提供手段として、コンピュータを機能させるプログラムである。
【発明の効果】
【００１３】
上記請求項１に記載の画像処理装置によれば、画像処理装置に接続される情報処理装置で利用制限を表示する場合に比べて、当該画像処理装置への負担を軽減して、当該画像処理装置の利用制限を行うことができる。
【００１４】
また、上記請求項２に記載の画像処理装置によれば、第２の通信インターフェイスに接続される情報処理装置のうち、予め記憶された情報処理装置を対象とした利用制限を行うことができる。
【００１５】
また、上記請求項３に記載の画像処理装置によれば、第２の通信インターフェイスに接続される情報処理装置における利用制限を、第１の通信インターフェイスに接続される情報処理装置における利用制限よりも強めることができる。
【００１６】
また、上記請求項４に記載の画像処理装置によれば、第１の項目情報と第２の項目情報とを置換して、情報処理装置に提供することができる。
【００１７】
また、上記請求項５に記載の画像処理システムによれば、画像処理装置に接続される情報処理装置で利用制限を表示する場合に比べて、当該画像処理装置への負担を軽減して、当該画像処理装置の利用制限を行うことができる。
【００１８】
また、上記請求項６に記載のプログラムによれば、コンピュータを用いて、画像処理装置に接続される情報処理装置で利用制限を表示する場合に比べて、当該画像処理装置への負担を軽減して、当該画像処理装置の利用制限を行うことができる。
【図面の簡単な説明】
【００１９】
【図１】画像処理システムの機器構成の一例を示す図である。
【図２】画像処理装置の機能的構成の一例を示す機能ブロック図である。
【図３】端末情報記憶部に記憶される識別情報の一例を示す図である。
【図４】項目情報記憶部に記憶される項目情報の一例を示す図である。
【図５Ａ】画像処理装置の画像処理に関する設定画面の一例を示す図である。
【図５Ｂ】画像処理装置の画像処理に関する設定画面の一例を示す図である。
【図６】画像処理システムにおいて、画像処理が実行されるまでの処理の一例を示すシーケンス図である。
【図７】項目情報取得処理の一例を示すフローチャートである。
【発明を実施するための形態】
【００２０】
以下に、本発明を実施するための形態の一例（以下、実施形態と呼ぶ）を、図面に従って説明する。なお、本明細書の各図について、既出の図に関して前述したものと同様の要素には同一の符号を付して、詳細な説明を適宜省略することがある。
【００２１】
［１．システム構成］
図１は、本実施形態に係る画像処理システムの機器構成の一例を示す図である。同図に示すように、画像処理システム１０は、画像処理の指示を示す指示データを受け付けて、この指示データにより指示される画像処理を実行する画像処理装置１と、利用者からの指示に応じて指示データを送信する情報処理装置２ａ〜２ｄ（以降、情報処理装置２とも呼ぶ）と、を含む。なお、画像処理は、例えば、現実又は仮想的な画像を形成する画像形成処理であり、印刷用紙などの媒体に画像を出力する処理（印刷処理）や、媒体の表面を光学的に読取って画像データを生成する処理（スキャン処理、ＦＡＸ処理）などが該当する。また、画像処理が印刷処理に該当する場合、上記指示データとしては、例えば、印刷データが該当する。
【００２２】
画像処理装置１は、例えば、プリンタ機能やスキャナ機能、ＦＡＸ機能などを有するいわゆる複合機であって、マイクロプロセッサなどの制御部１１、ＲＡＭやハードディスクドライブなどの記憶部１２、複数の通信インターフェイス１３を備える。ここで、画像処理装置１の制御部１１は、記憶部１２に記憶されるプログラムに従って、画像処理に設定可能な項目を示す項目情報を、情報処理装置２に提供する処理を実行する。なお、上記プログラムは、フラッシュメモリなどの情報記憶媒体を介して、又は、インターネットなどの通信ネットワーク（以下、単にネットワークとも呼ぶ）を介して画像処理装置１に提供されることとしてもよい。
【００２３】
本実施形態では、画像処理装置１が有する複数の通信インターフェイス１３は、互いに独立した（通信到達性のない）複数のネットワークである第１の通信ネットワーク３と第２の通信ネットワーク４とのうちのいずれかに接続されている。（図１参照）。なお、第１の通信ネットワーク３及び第２の通信ネットワーク４は、ローカルエリアネットワーク（イントラネット）により実現されることとしてよいし、インターネットを含んで実現されることとしてもよい。
【００２４】
また、情報処理装置２は、例えば、パーソナルコンピュータ、スマートフォンなどの携帯電話、タブレット端末などであり、画像処理装置１と同様に、制御部２１や記憶部２２、通信インターフェイス２３を備える他、利用者の入力を受け付けるマウスやキーボード、タッチパネルなどの入力部２４、ディスプレイなどの表示部２５を備える。各情報処理装置２は、それぞれ、第１の通信ネットワーク３、又は、第２の通信ネットワーク４のいずれかに接続されており、画像処理装置１とのデータ通信が可能である（図１参照）。情報処理装置２の制御部２１は、情報処理装置２の記憶部２２に記憶されるプログラムに従って、画像形成処理の指示を示す指示データの生成及び送信処理を実行する。なお、情報処理装置２が有する通信インターフェイス２３の数は、１つであってもよい。
【００２５】
なお、本実施形態では、画像処理装置１が学校内に設置される場合の例を想定する。より具体的には、第１の通信ネットワーク３には、教師が使用する情報処理装置２（以降、教師端末とも呼ぶ）が接続され、第２の通信ネットワーク４には、学生が使用する情報処理装置２（以降、学生端末とも呼ぶ）が接続されることを想定している。また、教師が、自身の情報処理装置２を第２の通信ネットワーク４に接続して使用することも想定している。ただし、学生が第１の通信ネットワーク３に自身の情報処理装置２を接続することは、禁止されているものとする。
【００２６】
この他にも、画像処理装置１は病院内に設置されることとしてもよく、この場合、第１の通信ネットワーク３には病院の職員が利用する情報処理装置２が、第２の通信ネットワーク４には患者が利用する情報処理装置２がそれぞれ接続されることとしてもよい。また、画像処理装置１は企業の施設内に設置され、第１の通信ネットワーク３は親会社（又は本社）に、第２の通信ネットワーク４は子会社（又は支社）に接続され、それぞれで利用されることとしてもよい。また、上記以外の運用形態であっても、２つ以上のネットワークがあり、それぞれが独立したネットワークとして利用されていればよい。
【００２７】
［２．画像処理装置の機能群］
本実施形態に係る画像処理装置１は、情報処理装置２が接続される通信インターフェイス１３に応じて画像処理に設定可能となる項目を示す項目情報を、この情報処理装置２に提供する。以下では、画像処理装置１に含まれる機能の詳細について説明する。
【００２８】
図２は、画像処理装置１の機能的構成の一例を示す機能ブロック図である。同図に示すように、画像処理装置１は、機能的には、通信制御部１１０と、ネットワーク判定部１２０と、端末情報記録部１３０と、端末情報記憶部１４０と、項目情報記憶部１５０と、項目情報提供部１６０と、画像処理実行部１７０と、を含む。これらの機能は、画像処理装置１の記憶部１２に記憶されるプログラムを、画像処理装置１の制御部１１が実行することにより実現される。
【００２９】
［２−１．通信制御部］
画像処理装置１の通信制御部１１０は、画像処理装置１の複数の通信インターフェイス１３におけるデータ通信を制御する。本実施形態では、通信制御部１１０は、通信インターフェイス１３を介して画像処理に関する要求を受け付ける。より具体的には、通信制御部１１０は、情報処理装置２から項目情報の要求を受信して、これに応じて取得される項目情報を上記情報処理装置２に送信する。また、通信制御部１１０は、情報処理装置２から指示データを受信する。
【００３０】
［２−２．ネットワーク判定部］
画像処理装置１のネットワーク判定部１２０は、通信インターフェイス１３が、複数のネットワーク（一例としては、第１の通信ネットワーク３と第２の通信ネットワーク４）のうちのいずれに接続されているかを判定する。ネットワーク判定部１２０は、各通信インターフェイス１３に関連付けて予め記憶されているIPアドレス等のネットワークの情報から、接続されるネットワークを判定することとしてよいし、画像処理装置１に別途設けられるスイッチの状態（具体的には、ＯＮ／ＯＦＦの状態やスイッチの指し示す方向など）から、ネットワークを判定することとしてもよい。また、ネットワーク判定部１２０は、各ネットワークのそれぞれに接続される機器との接続テストを行い、この接続テストに成功したネットワークを、通信インターフェイス１３に接続されるネットワークと判定することとしてもよい。
【００３１】
以降、第１の通信ネットワーク３に接続されると判定された通信インターフェイス１３を、第１の通信インターフェイス１３とも呼び、また、第２の通信ネットワーク４に接続されると判定された通信インターフェイス１３を、第２の通信インターフェイス１３とも呼ぶ。
【００３２】
［２−３．端末情報記録部］
画像処理装置１の端末情報記録部１３０は、第１の通信インターフェイス１３を介して接続される情報処理装置２（本実施形態では、教師端末）を識別する識別情報を、後述の端末情報記憶部１４０に記録する。より具体的には、端末情報記録部１３０は、第１の通信ネットワーク３に接続される情報処理装置２（教師端末）を識別する情報として、この情報処理装置２の機器名（ホスト名）や利用者を識別するためのユーザ名、ＭＡＣアドレスなどを、端末情報記憶部１４０に記録する。
【００３３】
［２−４．端末情報記憶部］
画像処理装置１の端末情報記憶部１４０は、第１の通信インターフェイス１３を介して接続された情報処理装置２（教師端末）を識別する識別情報を記憶する。なお、端末情報記憶部１４０は、画像処理装置１の記憶部１２を含んで実現されることとしてよい。
【００３４】
図３は、端末情報記憶部１４０に記憶される識別情報の一例を示す図である。同図に示すように、端末情報記憶部１４０には、端末情報記録部１３０により記録される機器名などの識別情報が記憶される。なお、端末情報記憶部１４０は、識別情報が記録される日時から一定期間（例えば、１週間）先の日時を有効期限として記憶してもよく、現在の日時が設定された有効期限を超過する場合に、記録された識別情報を削除または無効にすることとしてもよい。
【００３５】
［２−５．項目情報記憶部］
画像処理装置１の項目情報記憶部１５０は、画像処理装置１における画像処理に設定可能な項目を示す、複数種類の項目情報を記憶する。なお、項目情報記憶部１５０は、画像処理装置１の記憶部１２を含んで実現されることとしてよい。
【００３６】
図４は、項目情報記憶部１５０に記憶される項目情報の一例を示す図である。項目情報は、画像処理装置１による画像処理に設定可能な各種項目を示すものである。項目情報は、例えば、プリンタ、スキャナ、ＦＡＸなどの画像形成を行う機能に関するものであり、より具体的には、プリンタ機能における印刷部数の上限、カラーモード（カラー印刷の可否）、Ｎアップ印刷の可否、小冊子印刷の可否、穴あけの可否、ホチキスの可否や、スキャナ機能における解像度の範囲などを示すものである。
【００３７】
また、図４に示すように、項目情報記憶部１５０には、提供先の情報処理装置２に応じて、異なる項目情報が記憶されている。以降、第１の通信ネットワーク３に接続される情報処理装置２（教師端末）に提供される項目情報を、第１の項目情報とも呼び、第２の通信ネットワーク４に接続される情報処理装置２（学生端末）に提供される項目情報を、第２の項目情報とも呼ぶ。
【００３８】
なお、本実施形態では、学生端末側から利用することが可能な画像処理装置１の機能は、教師端末側から利用可能な機能に比べて制限されるものになっている。即ち、第２の項目情報により示される項目は、第１の項目情報により示される項目よりも設定可能な項目の数が少ないものになっている。例えば、第１の項目情報は、カラー印刷が可能であることを示すものであるが、第２の項目情報は、カラー印刷が不可であり、モノクロ印刷のみ可能であることを示すものとなっている。
【００３９】
また、項目情報記憶部１５０は、第１、第２とは異なる第３の項目情報が記憶されていることとしてもよい。本実施形態では、第３の項目情報は教師端末に提供されることとなるが、詳細は後述する。
【００４０】
［２−６．項目情報提供部］
画像処理装置１の項目情報提供部１６０は、通信制御部１１０が第１の通信インターフェイス１３を介して項目情報の要求を受け付けた場合、画像処理に設定可能な項目を示す第１の項目情報を提供し、第２の通信インターフェイス１３を介して項目情報の要求を受け付けた場合、第１の項目情報により示される項目とは異なる、画像処理に設定可能な項目を示す第２の項目情報を提供する。即ち、項目情報提供部１６０は、第１の通信インターフェイス１３に接続される教師端末に第１の項目情報を提供し、第２の通信インターフェイス１３に接続される学生端末に第２の項目情報を提供する。
【００４１】
また、項目情報提供部１６０は、第２の通信インターフェイス１３を介して接続される情報処理装置２が端末情報記憶部１４０に記憶された識別情報により識別される情報処理装置２である場合（即ち、情報処理装置２が第１の通信ネットワーク３に接続されたことがある教師端末である場合）、この情報処理装置２に、第２の項目情報により示される項目とは異なる、画像処理に設定可能な項目を示す第３の項目情報を提供する。なお、項目情報提供部１６０は、上記の場合を想定して予め記憶されている第３の項目情報（図４参照）を提供することとしてよいし、第１の項目情報と同一の項目情報を提供することとしてもよい。
【００４２】
［２−７．画像処理実行部］
画像処理装置１の画像処理実行部１７０は、情報処理装置２により送信された画像形成処理の指示を示す指示データに基づいて、例えば、印刷処理やスキャン処理、ＦＡＸ処理などの画像処理を実行する。なお、画像処理実行部１７０は、画像処理の経過及び結果を、通信制御部１１０及び通信インターフェイス１３を介して情報処理装置２に通知することとしてよい。
【００４３】
［３．情報処理装置の機能群］
本実施形態に係る情報処理装置２は、画像処理装置１から提供される項目情報に基づいて画像形成処理の指示を示す指示データを生成し、これを上記画像処理装置１に送信する。以下では、情報処理装置２に含まれる機能の詳細について説明する。
【００４４】
図２に示すように、情報処理装置２は、機能的には、通信制御部２１０と、画像処理設定部２２０と、指示データ送信部２３０と、を含む。これらの機能は、情報処理装置２の記憶部２２に記憶されるプログラムを、情報処理装置２の制御部２１が実行することにより実現される。
【００４５】
［３−１．通信制御部］
情報処理装置２の通信制御部２１０は、情報処理装置２の通信インターフェイス２３におけるデータ通信を制御する。本実施形態では、通信制御部２１０は、画像処理装置１に項目情報の要求を送信し、画像処理装置１から提供される項目情報を受信する。また、通信制御部２１０は、後述の指示データ送信部２３０により送信指示される指示データを画像処理装置１に送信する。
【００４６】
［３−２．画像処理設定部］
情報処理装置２の画像処理設定部２２０は、画像処理装置１に項目情報を要求するとともに、画像処理装置１から提供される項目情報により示される項目の中から、希望する画像処理に係る項目を設定する。画像処理設定部２２０は、例えば、情報処理装置２の表示部２５に項目情報の内容を示す設定画面を表示させ、この設定画面に対する利用者の入力操作を情報処理装置２の入力部２４を介して受け付けることにより、画像処理装置１に希望する画像処理の内容を設定する。なお、希望する画像処理として設定される項目は、後述の指示データ送信部２３０によって生成、送信される指示データに含まれることとなる。
【００４７】
図５Ａ及び図５Ｂは、画像処理装置１の画像形成能力に関する設定画面の一例を示す図である。図５Ａ及び図５Ｂに示すように、設定画面５０には、画像処理に設定可能な各種項目として、例えば、印刷部数やカラーモードなどが表示されており、各画像形成機能に対応する画像形成能力が設定できるようになっている。
【００４８】
特に図５Ａには、第１の項目情報（即ち、教師端末側の項目情報の一例）が提供された場合に表示される設定画面５０の例を示した。ここで、第１の項目情報には、カラーモードについて「カラー印刷可能」（図４参照）であることが示されているため、カラーモードに係る項目設定欄５１には、「カラー印刷」「モノクロ印刷」の双方が設定可能な項目として表示されることとなる。
【００４９】
一方、図５Ｂには、第２の項目情報（即ち、学生端末側の項目情報の一例）が提供された場合に表示される設定画面５０の例を示した。第２の項目情報には、カラーモードについて「カラー印刷不可」（図４参照）であることが示されているため、設定画面５０における項目設定欄５１には、「モノクロ印刷」のみが設定可能な項目として表示されることとなる。
【００５０】
［３−３．指示データ送信部］
情報処理装置２の指示データ送信部２３０は、画像処理設定部２２０により設定された画像形成処理の指示を示す指示データを、画像処理装置１に送信する。より具体的には、指示データ送信部２３０は、第１又は第２（又は第３）の項目情報の中から設定された項目を含む指示データを生成し、画像処理装置１に送信する。ここで、上記生成される指示データは、情報処理装置２の通信制御部２１０及び通信インターフェイス２３を介して、画像処理装置１に送信されることとなる。
【００５１】
なお、ここでの指示データは、画像処理の対象となる画像や文書、帳票などの情報を含むこととしてよく、例えば、ＰＪＬやＰＣＬ、ポストスクリプト、ＰＤＦなどの言語形式で記述されることとしてよい。この場合、希望する画像処理として設定された項目は、この指示データに含まれる制御文などの情報によって示されることとしてもよい。
【００５２】
［４．シーケンス図及びフローチャート］
以下では、本実施形態に係る画像処理装置１において実行される処理の一例を、図６に示したシーケンス図と、図７に示したフローチャートに基づいて説明する。
【００５３】
［４−１．全体処理（１）］
図６は、画像処理システム１０において、画像形成処理が実行されるまでの処理の一例を示すシーケンス図である。同図に示すように、情報処理装置２の画像処理設定部２２０は、画像処理装置１に項目情報を要求する（ステップＳ１０１）。そうすると、情報処理装置２の通信制御部２１０は、通信インターフェイス２３を介して、画像処理装置１に項目情報の要求を送信する（ステップＳ１０２）。
【００５４】
画像処理装置１は、項目情報取得処理を実行する（ステップＳ１０３）。ここで、ステップＳ１０３において実行される処理の詳細について、図７に示すフローチャートに基づき説明する。
【００５５】
［４−２．項目情報取得処理］
図７は、画像処理装置１において実行される項目情報取得処理の一例を示すフローチャートである。同図に示すように、画像処理装置１のネットワーク判定部１２０は、項目情報の要求を受信した画像処理装置１の通信インターフェイス１３が、第１の通信ネットワーク３、第２の通信ネットワーク４のいずれに接続されているかを判定する（ステップＳ２０１）。
【００５６】
ここで、通信インターフェイス１３が第１の通信ネットワーク３に接続されていると判定される場合（ステップＳ２０１：Ｙ）、画像処理装置１の項目情報提供部１６０は、この通信インターフェイス１３を介して接続される情報処理装置２を教師端末と判断して第１の項目情報を取得し（ステップＳ２０３）、項目情報取得処理を終了する。この際、画像処理装置１の端末情報記録部１３０は、上記情報処理装置２を識別する識別情報（例えば、機器名やＭＡＣアドレスなど）を教師端末の識別情報として、端末情報記憶部１４０に記録する（ステップＳ２０２）。
【００５７】
一方、通信インターフェイス１３が、第２の通信ネットワーク４に接続されていると判定される場合（ステップＳ２０１：Ｎ）、画像処理装置１の項目情報提供部１６０は、情報処理装置２の識別情報が、端末情報記憶部１４０に記憶されているか否かを判定する（ステップＳ２０４）。ここで、識別情報が記録されていない場合（ステップＳ２０４：Ｎ）、項目情報提供部１６０は、この通信インターフェイス１３を介して接続される情報処理装置２を学生端末と判定して第２の項目情報を取得し（ステップＳ２０５）、項目情報取得処理を終了する。
【００５８】
識別情報が記録されている場合（ステップＳ２０４：Ｙ）、項目情報提供部１６０は、情報処理装置２を教師端末と判定して第３の項目情報を取得し（ステップＳ２０６）、項目情報取得処理を終了する。なお、この場合、項目情報提供部１６０は、第３の項目情報を取得する代わりに、第１の項目情報を取得することとしてもよい（ステップＳ２０３）。ここで、図６に示したシーケンス図に戻り説明を続ける。
【００５９】
［４−３．全体処理（２）］
図６に戻り、画像処理装置１の通信制御部１１０は、ステップＳ１０３において取得された第１乃至第３のうちのいずれかの項目情報を、情報処理装置２に送信する（ステップＳ１０４）。そうすると、情報処理装置２の画像処理設定部２２０は、受信した項目情報により示される項目の中から、希望する画像処理に係る項目を設定する（ステップＳ１０５）。画像処理設定部２２０は、例えば、図５Ａ、図５Ｂに示した設定画面５０を情報処理装置２の表示部２５に表示させて、利用者からの入力操作を受け付けることにより、実行する画像処理に関する項目を設定する。また、図５Ａ、図５Ｂに示すように、設定画面５０において設定可能な項目の数は、情報処理装置２が受信した項目情報に応じて異なることとなる。
【００６０】
情報処理装置２の指示データ送信部２３０は、ステップＳ１０５において設定された項目を含む画像形成処理の指示を示す指示データを生成し（ステップＳ１０６）、画像処理装置１に送信する（ステップＳ１０７）。そうすると、画像処理装置１の画像処理実行部１７０は、受信した指示データに基づいて、画像処理を実行する（ステップＳ１０８）。
【００６１】
なお、画像処理実行部１７０は、画像処理の結果や経過を示す情報を、画像処理装置１の通信制御部１１０並びに通信インターフェイス１３を介して、情報処理装置２に送信することとしてよく、この場合、情報処理装置２は、上記結果、経過を示す情報を、情報処理装置２の表示部２５に表示させて、利用者に通知することとしてよい（ステップＳ１０９）。
【００６２】
このように、本実施形態では、接続される画像処理装置１の通信インターフェイス１３に応じて異なる項目の中から、いずれかの項目が設定された指示データが、情報処理装置２により送信される。そして、画像処理装置１においては、送信された指示データに基づく画像処理が実行されることとなる。
【００６３】
［５．変形例］
以上、本発明の一例である実施形態について説明したが、本発明は上記実施形態に限定されるものではない。以下、本発明を実施するための他の形態の例（変形例）について説明する。
【００６４】
（１）実施形態においては、画像処理装置１の項目情報提供部１６０が、第１の通信インターフェイス１３を介して項目情報の要求を受信した場合に第１の項目情報を、第２の通信インターフェイス１３を介して項目情報の要求を受信した場合に第２の項目情報を、それぞれ提供する場合について説明したが、項目情報提供部１６０は、第１の項目情報と、第２の項目情報と、を互いに置換して提供してもよい。即ち、項目情報提供部１６０は、教師端末に提供する項目情報と、学生端末に提供される項目情報と、を互いに入れ替えて提供してもよい。
【００６５】
（２）また、実施形態においては、端末情報記憶部１４０が、端末情報記録部１３０により記録される識別情報を記憶する場合について説明したが、端末情報記憶部１４０は、管理者により予め定められた情報処理装置２を特定するための識別情報を記憶することとしてもよい。この場合、画像処理装置１は、端末情報記録部１３０を必ずしも含むものでなくてよい。
【符号の説明】
【００６６】
１  画像処理装置、２  情報処理装置、３  第１の通信ネットワーク、４  第２の通信ネットワーク、１０  画像処理システム、１１  制御部、１２  記憶部、１３  通信インターフェイス、２１  制御部、２２  記憶部、２３  通信インターフェイス、２４  入力部、２５  表示部、５０  設定画面、５１  項目設定欄、１１０  通信制御部、１２０  ネットワーク判定部、１３０  端末情報記録部、１４０  端末情報記憶部、１５０  項目情報記憶部、１６０  項目情報提供部、１７０  画像処理実行部、２１０  通信制御部、２２０  画像処理設定部、２３０  指示データ送信部。
【図１】
0006435771.tif 000002
【図２】
0006435771.tif 000003
【図３】
0006435771.tif 000004
【図４】
0006435771.tif 000005
【図５Ａ】
0006435771.tif 000006
【図５Ｂ】
0006435771.tif 000007
【図６】
0006435771.tif 000008
【図７】
0006435771.tif 000009